(57)【要約】【課題】高品位な感覚をユーザに感じさせることができ、且つ重量と製造コストとを予定範囲にコントロールすることができる。【解決手段】ケース（１０）と、蓋（２０）と、を含むファンデーションケースにおいて、前記蓋（２０）の上面に窪み（２３）が設けてあり、前記窪み（２３）に金属板で作製されたパネル（３０）を設置可能であり、前記パネル（３０）は、一体成形されたものであり、浮き彫りの図形が設けてあり、前記図形の適当な位置に人工宝石（３１）が設けてあり、且つ前記パネル（３０）は艶出されたものであることを特徴とするファンデーションケース。【選択図】図３
0003134942.tif 000002
【実用新案登録請求の範囲】
【請求項１】
本体（１０）と、蓋（２０）と、を含むファンデーションケースにおいて、
前記蓋（２０）の上面に窪み（２３）が設けてあり、前記窪み（２３）に金属板で作製されたパネル（３０）を設置可能であることを特徴とする、
ファンデーションケース。
【請求項２】
前記パネル（３０）は、一体成形されたものであり、浮き彫りの図形が設けてあり、前記図形の適当な位置に人工宝石（３１）が設けてあることを特徴とする、請求項１に記載のファンデーションケース。
【請求項３】
前記パネル（３０）は、艶出されたものであることを特徴とする、請求項１に記載のファンデーションケース。
【考案の詳細な説明】
【技術分野】
【０００１】
本考案は、化粧品であるファンデーションを収容するファンデーションケースに係り、特に、金属の高級質感が溢れるファンデーションケースに関するものである。
【背景技術】
【０００２】
目下、市販しているファンデーションケースは、造形と材質が色々あり、多くのファンデーションケースが樹脂製で円形となっており、図１に示すように、例えば従来のファンデーションケースの本体１の内部にはファンデーションブロック２を収容可能であり、前記本体１の上に蓋３が配されており、前記蓋３は、一端が前記本体１に枢着され、係合端である他端が前記本体１の外縁に設けられたフック部と係合可能である。一般に、各化粧品メーカーの化粧品には商標などが蓋３に付けられ、且つファンデーションで化粧をする場合には、海綿で作製されたパフ４を使用することが必要であり、だから、多くのファンデーションケースは、その内部にパフ４を収容する空間が設けてあり、あるファンデーションケースの本体１は、上下層の設計にされ、すなわち、例えば下層にパフ４が収容され、上層にファンデーションブロック２が収容され、蓋３の下面に鏡が設けてある。また、市販しているファンデーションケースのうちに矩形状のものもあり、このような矩形状のファンデーションケースは、本体の内部の一側にファンデーションブロックが収容され、他側にパフが収容される。
【０００３】
ファンデーションケースの造形は、高品位な感覚をユーザに感じさせることが必要であり、特に、ユーザは使用しているファンデーションケースにより自分の高品位を他人にアピールすることが多く、だから、ファンデーションケースの製造コストはファンデーションブロック２よりも高いのが一般であり、なお、ファンデーションブロック２は単独で購入してファンデーションケースに入れることが可能である。
【考案の開示】
【考案が解決しようとする課題】
【０００４】
しかしながら、樹脂製のファンデーションケースは高品位な感覚をユーザに感じさせることが困難であり、その原因は、製造コストが低いことにより、立体的な図形があっても、高品位な感覚を表現することができないことにある。
【課題を解決するための手段】
【０００５】
上記目的を達成するためになされた本願の考案は、本体と、蓋と、を含むファンデーションケースにおいて、前記蓋の上面に窪みが設けてあり、前記窪みに金属板で作製されたパネルを設置可能であることを特徴とするファンデーションケースであることを要旨としている。
【０００６】
本願の考案では、前記パネルは、一体成形されたものであり、浮き彫りの図形が設けてあり、前記図形の適当な位置に人工宝石が設けてあることを特徴とする請求項１に記載のファンデーションケースであることを要旨としている。
【０００７】
本願の考案では、前記パネルは、艶出されたものであることを特徴とする請求項１に記載のファンデーションケースであることを要旨としている。
【考案の効果】
【０００８】
本考案のファンデーションケースによれば、次のような効果がある。
（イ）本体１０と蓋２０とは樹脂で作製されたものであるので、ファンデーションケース全体の重量が軽くなり、携帯時の利便性が高くなり、生産コストが下がる。
【０００９】
（ロ）蓋２０の上面に設けられるパネル３０は、金属で作製されたものであり、浮き彫りの図形が設けてあるので、高品位な感覚が溢れており、そして前記図形の適当な位置に人工宝石３１などが設けてある場合には、ファンデーションケースの外観からは更に華麗な品位が溢れるようになり、そのため、芸術品として収蔵する価値がある。
【００１０】
（ハ）本体１０の内部に収納されるファンデーションブロック１１が使いきれた場合には、ファンデーションブロック１１を単独に購入して本体１０の内部に設置可能であるので、購入費を低減することができると共に、ゴミ量を低減することも可能になる。
【考案を実施するための最良の形態】
【００１１】
以下、添付図面を参照して本考案の好適な実施の形態を詳細に説明する。
【００１２】
まず、図２と図３を参照する。本考案のファンデーションケースは、円形を呈し、本体１０と、蓋２０と、を含む。
【００１３】
前記本体１０は、図４に示すように、内部にファンデーションブロック１１を収容可能であり、外周面にフック１２が設けてあり、底部に環状の重り１３が設けてある。
【００１４】
前記蓋２０は、一端が前記本体１０に旋回自在に枢着され、他端の下面に係合部２１が凸設してあり、前記係合部２１が前記本体１０にあるフック１２と係合し、この構成により、前記本体１０と前記蓋２０とが係合して一体になり、前記蓋２０は、下面に鏡２２が設けてあり、上面に円形の窪み２３が設けてある。
【００１５】
前記窪み２３に設置され金属板で作製されたパネル３０は、一体成形されたものであり、浮き彫りの図形が設けてあり、前記図形の適当な位置に人工宝石３１などが設けてある。
【００１６】
上記の構成により、前記蓋２０の表面に設けられたパネル３０は金属板で作製されたものであり、金属板の顔色は選ばれた金属素材によって相違し、例えば金合金がゴールデン色を呈し、白金合金がシルバー色を呈し、そしてユーザの好み、又は図形への適合性により、金属板の表面は、艶出し仕上としても良い。また、艶消し仕上としてもいいし、一部を艶出し仕上し、他の一部を艶消し仕上してもよく、また、高品位を表現するために、パネル３０の適当な位置に人工宝石３１などを接着してもいい。
【００１７】
特に説明したいのは、本体１０と蓋２０との重量のバランスを良くするために、本体１０の底部に金属製の重り１３を設けてもよく、そうすると、蓋２０を開けた場合には、卓面などに置かれるファンデーションケースが倒れることがなくなる。
【図面の簡単な説明】
【００１８】
【図１】従来のファンデーションケース用蓋の分解斜視図である。
【図２】本考案の実施形態の分解斜視図１である。
【図３】本考案の実施形態の分解斜視図２である。
【図４】本考案の実施形態の組合状態の断面図である。
【符号の説明】
【００１９】
１        本体
２        ファンデーションブロック
３        蓋
４        パフ
１０      本体
１１      ファンデーションブロック
１２      フック
１３      重り
２０      蓋
２１      係合部
２２      鏡
２３      窪み
３０      パネル
３１      人工宝石
【図１】
0003134942.tif 000003
【図２】
0003134942.tif 000004
【図３】
0003134942.tif 000005
【図４】
0003134942.tif 000006